(57)【要約】【課題】本発明は、医療機関における医療管理システムの高度化を図る事を目的とするものである。【解決手段】そしてこの目的を達成するために本発明は、本体ケース１と、この本体ケース１に設けた測定部２と、この測定部２に接続した制御部３と、この制御部３に接続したバーコードリーダ１０および表示部４と、前記測定部２、制御部３、バーコードリーダ１０、表示部４に電源を供給するバッテリー１３と、前記バッテリー１３への充電状態を判断する充電状態判断部８と、を備え、前記制御部３は、前記充電状態判断部８によるバッテリー１３への充電状態を検出し、かつ、前記バーコードリーダ１０の非動作状態を検出した場合に、前記表示部４に管理測定モードへの切替を促す複数の画像を順次表示させる構成とした。【選択図】図８
2012095877.tif 000002
【特許請求の範囲】
【請求項１】
本体ケースと、
この本体ケースに設けた測定部と、
この測定部に接続した制御部と、
この制御部に接続したＩＤ入力部および表示部と、
前記測定部、制御部、ＩＤ入力部、表示部に電源を供給するバッテリーと、
前記バッテリーへの充電状態を判断する充電状態判断部と、
を備え、
前記制御部は、前記充電状態判断部によるバッテリーへの充電状態を検出し、かつ、前記ＩＤ入力部の非動作状態を検出した場合に、前記表示部に管理測定モードへの切替を促す複数の画像を順次表示させる構成とした生体試料測定装置。
【請求項２】
前記管理測定モードへの切替を促す複数の画像は、管理測定モードのメリットと、管理測定モードへの移行方法を示す画像である請求項１に記載の生体試料測定装置。
【請求項３】
前記表示部に管理測定モードへの切替を促す複数の画像を、所定の間隔で切替表示する請求項１または２に記載の生体試料測定装置。
【発明の詳細な説明】
【技術分野】
【０００１】
本発明は、たとえば血糖値を測定する生体試料測定装置に関するものである。
【背景技術】
【０００２】
従来の生体資料測定装置の構成は、本体ケースと、この本体ケースに設けた測定部と、この測定部に接続した制御部と、この制御部に接続した表示部と、前記測定部、制御部、表示部に電源を供給するバッテリーと、前記バッテリーへの充電状態を判断する充電状態判断部とを備えた構成となっていた。
【０００３】
すなわち、測定部で生体試料を測定し、その測定結果を表示部に表示させる構成となっていた。
【先行技術文献】
【特許文献】
【０００４】
【特許文献１】特開２００６−２４５８８５号公報
【発明の概要】
【発明が解決しようとする課題】
【０００５】
前記生体試料測定装置は、医療機関において使用されるものであって、たとえば、個人経営の医療機関においては、測定した生体試料の測定値を、カルテなどに手書きで書き込む事も未だに行われていた。しかし、近年の医療環境においては、測定者のＩＤ、患者のＩＤなどを読み取り、医療管理体制の高度化を図ろうとする取り組みがなされており、前記手書きを行っていた個人経営の医療機関においても、このＩＤ情報を用いた医療管理体制への移行が求められている。
【０００６】
このため、生体試料測定装置の提供業者においても、前記個人経営の医療機関に、その移行を勧めてはいるが、未だ十分な切換え効果が生まれていない。
【０００７】
そこで、生体試料測定装置の充電時にその表示部を利用して、切替を勧めることが考えられる。
【０００８】
つまり、充電時にこの生体試料測定装置の使用モードを表示し、それにより、切替を間接的に勧めようとするものである（たとえば、これに類似する先行文献としては、上記特許文献１が存在する）。
【０００９】
しかしながら、このような現在の使用モードを単に表示しただけでは、切替によるメリットや切替方法が、十分に理解されず、その結果として、切替はほとんどなされず、その医療機関における医療管理システムの高度化が図れないものであった。
【００１０】
そこで、本発明は、医療機関における医療管理システムの高度化を図る事を目的とするものである。
【課題を解決するための手段】
【００１１】
そしてこの目的を達成するために本発明は、本体ケースと、この本体ケースに設けた測定部と、この測定部に接続した制御部と、この制御部に接続したＩＤ入力部および表示部と、前記測定部、制御部、ＩＤ入力部、表示部に電源を供給するバッテリーと、前記バッテリーへの充電状態を判断する充電状態判断部と、を備え、前記制御部は、前記充電状態判断部によるバッテリーへの充電状態を検出し、かつ、前記ＩＤ入力部の非動作状態を検出した場合に、前記表示部に管理測定モードへの切替を促す複数の画像を順次表示させる構成とし、これにより、所期の目的を達成するものである。
【発明の効果】
【００１２】
以上のように本発明は、本体ケースと、この本体ケースに設けた測定部と、この測定部に接続した制御部と、この制御部に接続したＩＤ入力部および表示部と、前記測定部、制御部、ＩＤ入力部、表示部に電源を供給するバッテリーと、前記バッテリーへの充電状態を判断する充電状態判断部と、を備え、前記制御部は、前記充電状態判断部によるバッテリーへの充電状態を検出し、かつ、前記ＩＤ入力部の非動作状態を検出した場合に、前記表示部に管理測定モードへの切替を促す複数の画像を順次表示させる構成としたものであるので、医療機関における医療管理システムの高度化を図る事が出来る。
【００１３】
すなわち、本発明における前記制御部は、前記充電状態判断部によるバッテリーへの充電状態を検出し、かつ、前記ＩＤ入力部の非動作状態を検出した場合に、前記表示部に管理測定モードへの切替を促す複数の画像を順次表示させる構成としたものであるので、バッテリーへの充電の度に、管理測定モードへの切替を促す複数の画像が表示部に順次表示されることになり、つまり、充電の度に繰返し管理測定モードへの切替を促す表示がなされることになり、その結果として、この切替に対する啓蒙が図れ、医療機関における医療管理システムの高度化を図る事が出来るとなるのである。
【図面の簡単な説明】
【００１４】
【図１】本発明の一実施形態における生体試料測定装置の斜視図
【図２】同、ブロック図
【図３】同、表示部の表示内容を示す上面図
【図４】同、表示部の表示内容を示す上面図
【図５】同、表示部の表示内容を示す上面図
【図６】同、表示部の表示内容を示す上面図
【図７】同、表示部の表示内容を示す上面図
【図８】同、フローチャート
【発明を実施するための形態】
【００１５】
以下、本発明の一実施形態を、血糖値を測定する生体試料測定装置に適用したものを、添付図面を用いて説明する。
（実施の形態１）
本実施形態の生体試料測定装置は、図１、図２に示すごとく、本体ケース１と、この本体ケース１に設けた測定部２と、この測定部２に接続した制御部３と、この制御部３に接続した表示部４とを備えている。
【００１６】
また、制御部３には、測定値などを記録する記録部５、時刻取得部６、充電端子７、充電状態判断部８、入力部９、ＩＤ入力部の一例として用いたバーコードリーダ１０が接続されている。
【００１７】
さらに、測定部２には、血糖値センサ（図示せず）が装着されるセンサ装着部１１が接続されている。
【００１８】
さらにまた、制御部３と表示部４の間には、表示切替部１２が接続されている。
【００１９】
なお、１３は、バッテリーで、このバッテリー１３により、前記制御部３、表示部４、記録部５、時刻取得部６、充電端子７、充電状態判断部８、入力部９、ＩＤ入力部の一例として用いたバーコードリーダ１０、センサ装着部１１、表示切替部１２の電源を供給するようにしている。
【００２０】
本実施形態における生体試料測定装置は、ＩＤ入力部の一例として用いたバーコードリーダ１０を備えており、入力部９の入力により、このバーコードリーダ１０を利用した管理測定モードと、このバーコードリーダ１０を利用しない簡単測定モードの切替が行えるようになっている。
【００２１】
したがって、近年の大部分の医療機関においては、前記バーコードリーダ１０を利用した管理測定モードによる使用を行っているが、一部、たとえば、個人経営の医療機関において、このバーコードリーダ１０を利用しない簡単測定モードによる使用が行われている。
【００２２】
本実施形態においても、この本体ケース１をクレードル（図示せず）に装着すれば、図２の充電端子７を介して、バッテリー１３への充電が行われるようになっている。
【００２３】
本実施形態における特徴は、この充電状態を充電状態判断部８で検出し、次に、図８に示す動作へ移行させることである。
【００２４】
まず、図８において、充電状態判断部８で、充電状態が検出されると（図８のＳ１）、制御部３は、現在の使用設定が上述した管理測定モードか簡単測定モードかを判定（図８のＳ２）することになる。
【００２５】
大部分の医療機関においては、上述のごとく、管理測定モードによる使用が行われているので、この時には、図７のごとく、表示部４には、充電状態を示す画面が表示される（図８のＳ３）。
【００２６】
しかし、前記図８のＳ２において、現在の使用モードが簡単測定モードであると判定されると、表示部４には、図３から図６に示す画像が順次表示されることになる。
【００２７】
まず、図８のＳ４では、図３のごとく、管理測定モードの紹介画面が表示される。
【００２８】
続いて、図８において、１０秒間が経過すると、図８のＳ５において、現在の表示が事前に準備していた最後の表示（図６の表示）であるか否かを判定することになる。表示初期においては、図３に示した第１枚目の表示がなされている状態であるので、図８のＳ６において、次画面への切替へと移行され、ふたたび、図８のＳ４に戻る。すると、今度は、図４に示すように表示部４には、管理測定モードのメリットが表示されることになる。ふたたび、１０秒が経過すると、図５に示す管理測定モードのメリットの２枚目が表示され、さらに、１０秒が経過すると、図６に示す管理測定モードへの移行方法が表示されることになる。
【００２９】
このようにして、図６までの表示が終わると、図８のＳ７において、ふたたび、図３に示す表示へ戻る動作が行われ、以降、これは充電終了（図８のＳ８）まで繰り返されることになる。
【００３０】
なお、充電終了とは、本体ケース１をクレードルから取り外した場合や、バッテリー１３への充電が完了した場合などである。
【００３１】
また、前記管理測定モードと簡単測定モードに対する表示内容は、表示切替部１２に収納されているものであって、この表示切替部１２を介して、前記図３から図７の表示が選択的になされるようになっている。
【００３２】
さらにまた、バーコードリーダ１０を用いた管理測定モードやそれを用いない簡単測定モードに対する動作プログラムは、記録部５に記録されている。
【産業上の利用可能性】
【００３３】
以上のように本発明は、本体ケースと、この本体ケースに設けた測定部と、この測定部に接続した制御部と、この制御部に接続したＩＤ入力部および表示部と、前記測定部、制御部、ＩＤ入力部、表示部に電源を供給するバッテリーと、前記バッテリーへの充電状態を判断する充電状態判断部と、を備え、前記制御部は、前記充電状態判断部によるバッテリーへの充電状態を検出し、かつ、前記ＩＤ入力部の非動作状態を検出した場合に、前記表示部に管理測定モードへの切替を促す複数の画像を順次表示させる構成としたものであるので、医療機関における医療管理システムの高度化を図る事が出来る。
【００３４】
すなわち、本発明における前記制御部は、前記充電状態判断部によるバッテリーへの充電状態を検出し、かつ、前記ＩＤ入力部の非動作状態を検出した場合に、前記表示部に管理測定モードへの切替を促す複数の画像を順次表示させる構成としたものであるので、バッテリーへの充電の度に、管理測定モードへの切替を促す複数の画像が表示部に順次表示されることになり、つまり、充電の度に繰返し管理測定モードへの切替を促す表示がなされることになり、その結果として、この切替に対する啓蒙が図れ、医療機関における医療管理システムの高度化を図る事が出来るとなるのである。
【００３５】
したがって、たとえば、血糖値などを測定する生体試料測定装置として広く活用が期待されるものとなる。
【符号の説明】
【００３６】
１  本体ケース
２  測定部
３  制御部
４  表示部
５  記録部
６  時刻取得部
７  充電端子
８  充電状態判断部
９  入力部
１０  バーコードリーダ
１１  センサ装着部
１２  表示切替部
１３  バッテリー
【図１】
2012095877.tif 000003
【図２】
2012095877.tif 000004
【図３】
2012095877.tif 000005
【図４】
2012095877.tif 000006
【図５】
2012095877.tif 000007
【図６】
2012095877.tif 000008
【図７】
2012095877.tif 000009
【図８】
2012095877.tif 000010